(57)【特許請求の範囲】
【請求項１】
複数種類の色の光源と、
各々の画素に設けられ、前記光源からの光の通過／非通過を切り替える素子と、
前記光源及び前記素子を駆動し、１つの画像を表示する１フレーム期間を構成する複数のサブフレーム期間の各々のサブフレーム期間における光通過期間の有無によって階調を表現する制御部と、
を備え、
前記複数のサブフレーム期間は、
前記光通過期間の長さが同一の前記サブフレーム期間が属する第１のグループと、
前記光通過期間の長さが前記第１のグループの光通過期間より短く、且つ互いに異なる前記サブフレーム期間が属する第２のグループと、
に分類され、
前記第１のグループに属する前記サブフレーム期間のうち、前記光通過期間を有する前記サブフレーム期間が、前記階調が高まるに従って、前記１フレーム期間の中途から始点及び終点に向かって増加し、
前記各々のサブフレーム期間は、各々の種類の色の光が通過する複数の前記光通過期間を含み、
前記第1のグループに対応する発光重心および前記第2のグループに対応する発光重心は、第1のグループに属する前記サブフレーム期間の長さよりも大きく時間的に隔離されない
ことを特徴とする表示装置。
【請求項２】
前記第１のグループに属する前記サブフレーム期間と、前記第２のグループに属する前記サブフレーム期間と、が交互に設けられる、
請求項１に記載の表示装置。
【請求項３】
前記第１のグループに属する前記サブフレーム期間のうち、最も低階調において前記光通過期間を有する前記サブフレーム期間の前後に、前記第２のグループに属する前記サブフレーム期間が設けられる、
請求項１に記載の表示装置。
【請求項４】
前記第１のグループに属する前記サブフレーム期間同士の間に、前記第２のグループに属する前記サブフレーム期間または空白期間が設けられる、
請求項１に記載の表示装置。
【請求項５】
前記１フレーム期間の始点側に設けられる前記サブフレーム期間では、青色系の色の前記光通過期間が前記始点側に設けられ、前記１フレーム期間の終点側に設けられる前記サブフレーム期間では、青色系の色の前記光通過期間が前記終点側に設けられる、
請求項１に記載の表示装置。
【請求項６】
前記第２のグループに属する前記サブフレーム期間では、前記青色系の色の前記光通過期間と他の色の前記光通過期間との間に、前記第１のグループに属する前記サブフレーム期間が設けられる、
請求項５に記載の表示装置。
【請求項７】
前記第１のグループに属する前記サブフレーム期間のうち、前記光通過期間を有する前記サブフレーム期間が、前記階調が高まるに従って、前記１フレーム期間の始点側及び終点側に交互に増加する第１の画素と、
前記第１のグループに属する前記サブフレーム期間のうち、前記光通過期間を有する前記サブフレーム期間が、前記第１の画素と対称になるように、前記階調が高まるに従って、前記１フレーム期間の始点側及び終点側に交互に増加する第２の画素と、
が２次元的に交互に配列する、
請求項１に記載の表示装置。
【請求項８】
前記第１の画素と、前記第２の画素とが前記１フレーム期間ごとに入れ替わる、
請求項７に記載の表示装置。
【請求項９】
前記第２のグループに属する前記サブフレーム期間の、長さが同一の前記光通過期間が、前記第１の画素と前記第２の画素とに同時に現れるように、前記１フレーム期間の開始タイミングが調整される、
請求項７に記載の表示装置。
【請求項１０】
前記光通過期間を有する前記第１のグループに属する前記サブフレーム期間の数が前の階調でのサブフレーム期間の数から増加する階調よりも小さい階調において、
前記第１のグループに属する発光期間が、サブフレーム期間のうち一つから、サフブレーム期間のうちの他の一つににずらされる、
請求項１に記載の表示装置。
【請求項１１】
複数種類の色の光源と、
各々の画素に設けられ、前記光源からの光の通過／非通過を切り替える素子と、
前記光源及び前記素子を駆動し、１つの画像を表示する１フレーム期間を構成する複数のサブフレーム期間の各々のサブフレーム期間における光通過期間の有無によって階調を表現する制御部と、
を備える表示装置の制御方法であって、
前記複数のサブフレーム期間は、
前記光通過期間の長さが同一の前記サブフレーム期間が属する第１のグループと、
前記光通過期間の長さが前記第１のグループの光通過期間より短く、且つ互いに異なる前記サブフレーム期間が属する第２のグループと、
に分類され、
前記第１のグループに属する前記サブフレーム期間のうち、前記光通過期間を有する前記サブフレーム期間が、前記階調が高まるに従って、前記１フレーム期間の中途から始点及び終点に向かって増加し、
前記各々のサブフレーム期間は、各々の種類の色の光が通過する複数の前記光通過期間を含み、
前記第1のグループに対応する発光重心および前記第2のグループに対応する発光重心は、第1のグループに属する前記サブフレーム期間の長さよりも大きく時間的に隔離されない
ことを特徴とする表示装置の制御方法。
【発明の詳細な説明】
【技術分野】
【０００１】
本発明は、表示装置及びその制御方法に関し、特には、光の通過／非通過を切り替える素子を用いた階調表示に関する。
【背景技術】
【０００２】
特許文献１には、各々の画素に「ＭＥＭＳ（Micro Electro Mechanical Systems）シャッター」と呼ばれる微小なシャッターが設けられた表示装置が開示されている。こうした表示装置では、複数種類の色の光源を順次点灯させるフィールドシーケンシャル方式が採用されている。
【先行技術文献】
【特許文献】
【０００３】
【特許文献１】特開２００８−１９７６６８号公報
【特許文献２】特開平１０−３１４５５号公報
【発明の概要】
【発明が解決しようとする課題】
【０００４】
上記のような表示装置における階調表示について本発明者らが検討を重ねたところ、まず、次のような第１の参考例に想到した。図２２は、第１の参考例における光源の点灯期間を示す図である。本例では、１つの画像を表示する１フレーム期間が、Ｒのサブフレーム期間（ＳＦ１〜ＳＦ８）と、Ｇのサブフレーム期間（ＳＦ９〜ＳＦ１６）と、Ｂのサブフレーム期間（ＳＦ１７〜ＳＦ２４）と、に分割されている。各々のサブフレーム期間は、アドレス期間と点灯期間とを含んでいる。アドレス期間は、全画素のデータを書き込むため、且つシャッターを移動させるための期間である。各々のサブフレーム期間に含まれる点灯期間の長さは、２進法に従って重み付けされている。こうした点灯期間で放射される光の通過／非通過をシャッターで制御することによって、階調が表現される（８ビットであれば２５６階調）。図２３は、第１の参考例における光通過期間を示す図である。光通過期間とは、光源の点灯期間かつシャッターの開放期間のことである。同図では、ハッチング又は黒塗りのセルがシャッターの開放期間を表し、白抜きのセルがシャッターの閉塞期間を表している。シャッターの開放期間では光源からの光が通過し、シャッターの閉塞期間では光源からの光が通過しない。
【０００５】
しかしながら、上記第１の参考例を適用した場合、擬似輪郭の問題が生じることが判明した。擬似輪郭とは、実際には存在しない明暗の境界が見えてしまう現象である。図２４は、擬似輪郭の発生を説明する図である。同図は、階調１２８から階調１２７に切り替わるパターンを画面の右から左へスクロールさせた場合に生じる擬似輪郭をシミュレーションで解析した結果を示す図である。横軸は、階調が切り替わる部分の視野内位置を表し、縦軸は、階調１２８を基準にした輝度比を表している。同図から分かるように、この場合、ＲＧＢに分かれて明るい輪郭が見えてしまう。図２５Ａ及び図２５Ｂは、擬似輪郭の原理を説明する図である。点灯時間が１：２：４：８のサブフレーム期間１，２，４，８の駆動シーケンスを想定する。これらの図では、横軸に時間、縦軸に位置を示し、１フレーム期間において階調７の画素Ａと階調８の画素Ｂとが隣接している。四角の内側に記載された数字はサブフレーム期間の長さであり、ハッチングの有無で通過／非通過を示す。また、矢印は視線の動きを示す。階調７の画素Ａと階調８の画素Ｂとが隣接した領域を見るとき、図２５Ａのように視線を動かさなければ、階調７の画素Ａは１＋２＋４＝７の輝度として、階調８の画素Ｂは８の輝度として認識される。ところが、図２５Ｂのように視線が動くと隣接する画素間を跨ぐので、１５の輝度または０の輝度として認識され、階調７の画素Ａと階調８の画素Ｂとの間に階調１５または階調０の輪郭が見えてしまう。この問題は、点灯期間を有するサブフレーム期間と、点灯期間を有さないサブフレーム期間とが入れ替わるような場合（１，２，４が点灯から非点灯へ、８が非点灯から点灯へ入れ替わる）に生じる。
【０００６】
そこで、本発明者らは、擬似輪郭を解消するべく、プラズマディスプレイの分野の特許文献２を参考することにした。特許文献２の図６には、点灯期間を有するサブフレーム期間が、階調が高まるに従って１フレーム期間の中央から始点及び終点に向かって増加する点灯方法が開示されている。本明細書における図２６Ａ及び図２６Ｂは、この点灯方法により擬似輪郭が抑制されることを説明する図である。これらの図では、階調３の画素Ａと階調４の画素Ｂとが隣接しており、図２６Ａに示すように視線を固定した場合の見え方と、図２６Ｂに示すように視線を移動した場合の見え方とが示されている。このように視線を動かしても、階調３の画素と階調４の画素の間はこれらの中間の輝度となるので、擬似輪郭は発生しない。これは、点灯するサブフレーム期間の入れ替えがないためである。また、特許文献２の図２７及び図５２等には、サブフレーム期間を、輝度の大きな変化を表現するためのグループと、輝度の小さな変化を表現するためのグループとに分ける点灯方法が開示されている。
【０００７】
本発明者らは、上記のような特許文献２を参考にして、次のような第２の参考例に想到した。図２７は、第２の参考例における光通過期間を示す図である。同図では、１つの色のサブフレーム期間のみが示されている。本例では、サブフレーム期間が、光通過期間の長さが同一の第１のグループと、これよりも光通過期間の長さが短く、且つ互いに異なる第２のグループと、に分類され、光通過期間を有する第１のグループのサブフレーム期間が、階調が高まるに従って１フレーム期間の中途から始点及び終点に向かって増加している。ここで、上記の表示装置では、プラズマディスプレイとは異なり、フィールドシーケンシャル方式が採用されるため、本例では、各色について図２７に示すようなサブフレーム群が設けられ、これらのサブフレーム群が１フレーム期間中に順番に並べられる。擬似輪郭の抑制のみを考慮した場合、色ごとに光通過期間を有するサブフレーム期間を出来る限り近づける方が好ましいためである。
【０００８】
しかしながら、上記第２の参考例では、色分解の問題が生じることが判明した。色分解とは、白色が表示されていても、白色を構成する色（例えばＲＧＢ）の何れかが見えてしまう現象である。図２８は、色分解の発生を説明する図である。同図では、横軸に時間、縦軸に画素の位置を示しており、縦軸の方向に画素Ａ〜Ｅが並び、横軸の方向に各画素の点灯状態が示されている。矢印は視線の動きを示す。１フレームでＲＧＢの順序で点灯する駆動シーケンスで、画素Ｃを白、それ以外の画素を黒とした場合、視線が動かなければ、画素Ｃは白として視認され、それ以外の画素は黒として視認される。視線が動くと、視野の中で各色が点灯するタイミングがずれるため、白ではなくＲＧＢ分かれて視認される。これが色分解の発生原理である。こうした色分解の問題は、上記特許文献２に開示されたプラズマディスプレイには生じない課題である。
【０００９】
本発明は、上記実情に鑑みて為されたものであり、擬似輪郭の発生を抑制しつつ、色分解の発生も抑制することが可能な表示装置及びその制御方法を提供することを主な目的とする。
【課題を解決するための手段】
【００１０】
上記課題を解決するため、本発明の表示装置は、複数種類の色の光源と、各々の画素に設けられ、前記光源からの光の通過／非通過を切り替える素子と、前記光源及び前記素子を駆動する制御部と、を備える。前記制御部は、１つの画像を表示する１フレーム期間を構成する各々のサブフレーム期間における光通過期間の有無によって階調を表現する。前記複数のサブフレーム期間は、前記光通過期間の長さが同一の前記サブフレーム期間が属する第１のグループと、前記光通過期間の長さが前記第１のグループの光通過期間より短く、且つ互いに異なる前記サブフレーム期間が属する第２のグループと、に分類される。前記第１のグループに属する前記サブフレーム期間のうち、前記光通過期間を有する前記サブフレーム期間が、前記階調が高まるに従って、前記１フレーム期間の中途から始点及び終点に向かって増加する。前記各々のサブフレーム期間は、各々の種類の色の光が通過する複数の前記光通過期間を含む。
【発明の効果】
【００１１】
上記本発明によると、光通過期間を有する第１のグループのサブフレーム期間が、階調が高まるに従って、１フレーム期間の中途から始点及び終点に向かって増加しているので、擬似輪郭の発生を抑制することが可能である。また、各々のサブフレーム期間が各々の種類の色の光が通過する複数の前記光通過期間を含むので、色分解の発生も抑制することが可能である。
【図面の簡単な説明】
【００１２】
【図１】本発明の表示装置の構成例を示す図である。
【図２】同表示装置のガラス基板の構成例を示す図である。
【図３】同表示装置の画素の構成例を示す図である。
【図４Ａ】第１実施形態における画素Ａの駆動シーケンスを示す図である。
【図４Ｂ】第１実施形態における画素Ｂの駆動シーケンスを示す図である。
【図５】画素Ａと画素Ｂの配列を示す図である。
【図６Ａ】第１のグループの発光重心の計算方法を説明する図である。
【図６Ｂ】第２のグループの発光重心の計算方法を説明する図である。
【図７Ａ】擬似輪郭のシミュレーション結果を示す図である。
【図７Ｂ】擬似輪郭のシミュレーション結果を示す図である。
【図７Ｃ】擬似輪郭のシミュレーション結果を示す図である。
【図８】色分解の評価パターンを示す図である。
【図９Ａ】評価パターンの帯の発光波形を示す図である。
【図９Ｂ】評価パターンの帯の発光波形を示す図である。
【図１０Ａ】色分解のシミュレーション結果を示す図である。
【図１０Ｂ】色分解のシミュレーション結果を示す図である。
【図１０Ｃ】色分解のシミュレーション結果を示す図である。
【図１０Ｄ】色分解のシミュレーション結果を示す図である。
【図１０Ｅ】色分解のシミュレーション結果を示す図である。
【図１０Ｆ】色分解のシミュレーション結果を示す図である。
【図１１】第２実施形態における駆動シーケンスを示す図である。
【図１２】第３実施形態における駆動シーケンスを示す図である。
【図１３】第４実施形態における駆動シーケンスを示す図である。
【図１４Ａ】第５実施形態における画素Ａの駆動シーケンスを示す図である。
【図１４Ｂ】第５実施形態における画素Ｂの駆動シーケンスを示す図である。
【図１５Ａ】擬似輪郭のシミュレーション結果を示す図である。
【図１５Ｂ】擬似輪郭のシミュレーション結果を示す図である。
【図１５Ｃ】擬似輪郭のシミュレーション結果を示す図である。
【図１６】第６実施形態における駆動シーケンスを示す図である。
【図１７】第７実施形態における駆動シーケンスを示す図である。
【図１８】擬似輪郭のシミュレーション結果を示す図である。
【図１９】第８実施形態における駆動シーケンスを示す図である。
【図２０Ａ】第９実施形態における画素Ａの駆動シーケンスを示す図である。
【図２０Ｂ】第９実施形態における画素Ｂの駆動シーケンスを示す図である。
【図２１】フレーム期間の重複を示す図である。
【図２２】第１の参考例における光源の点灯期間を示す図である。
【図２３】第１の参考例における光通過期間を示す図である。
【図２４】擬似輪郭の発生を説明する図である。
【図２５Ａ】擬似輪郭の原理を説明する図である。
【図２５Ｂ】擬似輪郭の原理を説明する図である。
【図２６Ａ】擬似輪郭の抑制を説明する図である。
【図２６Ｂ】擬似輪郭の抑制を説明する図である。
【図２７】第２の参考例における光通過期間を示す図である。
【図２８】色分解の発生を説明する図である。
【発明を実施するための形態】
【００１３】
本発明の表示装置及びその制御方法の実施形態を、図面を参照しながら説明する。
【００１４】
図１は、本発明の表示装置の構成例を示す図である。本発明の表示装置は、ＭＥＭＳシャッターなどの点灯制御素子を利用した表示装置であり、ガラス基板１と、バックライト２と、表示制御回路３と、発光制御回路４と、システム制御回路５と、を備えている。ガラス基板１は、ＭＥＭＳシャッターなどの点灯制御素子と、それを駆動する画素回路及び周辺回路と、を備えている。バックライト２は、ガラス基板１の表示領域を照らす光源であり、ＲＧＢ等の複数種類の色のＬＥＤを含んでいる。表示制御回路３は、ガラス基板１に設けられた回路を制御し、発光制御回路４は、バックライト２の点灯を制御する。また、システム制御回路５は、表示制御回路３及び発光制御回路４を制御する。
【００１５】
図２は、ガラス基板１の構成例を示す図である。ガラス基板１には、複数の画素１１と、行選択回路１５と、集積回路１４と、が配置されている。各々の画素１１は、ガラス基板１上にマトリクス状に配置されており、バックライト２からの光の透過／非透過を切り替える点灯制御素子と、それを駆動する画素回路と、を含んでいる。各々の画素１１には、行選択回路１５から延びる行選択信号線１２と、集積回路１４から延びるデータ信号線１３と、が接続されている。行選択回路１５によって選択された画素１１の記憶容量に、集積回路１４から出力される映像信号が記憶される。行選択回路１５は集積回路１４によって制御され、集積回路１４はＦＰＣなどの制御線６を経由して外部の表示制御回路３によって制御される。
【００１６】
図３は、画素１１の構成例を示す図である。行選択信号線１２にはスイッチ２１が接続されており、スイッチ２１がオンすると、データ信号線１３の電圧が記憶容量２２に書き込まれる。記憶容量２２は、スイッチ２１と基準電位２４とに接続されており、記憶容量２２に書き込まれた電圧によって点灯制御素子２３が動作する。点灯制御素子２３は、ＭＥＭＳシャッターなどであり、バックライト２からの光の透過／非透過を切り替える。例えば、ＭＥＭＳシャッターは、バックライト２からの光が通過する開口を開閉するように動作する。
【００１７】
以下、本発明の表示装置における１フレーム期間（例えば１６．６７ｍｓ）の駆動シーケンスの実施形態について説明する。なお、各実施形態では、階調数が６ｂｉｔの例を示しているが、階調数はこれに限られず、階調数が増減しても同様の駆動シーケンスを適用可能である。
【００１８】
［第１の実施形態］
図４Ａ及び図４Ｂは、第１実施形態における駆動シーケンスを示す図である。図４Ａは、画素Ａの駆動シーケンスを示し、図４Ｂは、画素Ｂの駆動シーケンスを示している。各図の縦軸は表示可能な階調を表しており、最左列には階調数が示されている。階調数は、図中下方に向かうほど高くなる。また、各図の横軸は、１つの画像を表示する１フレーム期間を表しており、最上行には１フレーム期間を構成するサブフレーム期間の番号が示されている。図中左方が１フレーム期間の始点側に対応し、図中右方が１フレーム期間の終点側に対応する。各々のサブフレーム期間は、ＲＧＢ各色の光通過期間を含んでいる。本例では、ＲＧＢ各色の光通過期間が、ＲＧＢの順で短い周期で繰り返される。ＭＥＭＳシャッターを用いる場合、光通過期間は、バックライト２の点灯期間かつＭＥＭＳシャッターの開放期間である。これらの図では、各々の階調においてどのサブフレーム期間の光通過期間が発光するのかが示されている。このように、各々の階調は、サブフレーム期間の光通過期間の有無によって表現される。なお、これらの図では、各色の階調が同じ例（Ｒ＝Ｇ＝Ｂ）が示されているが、各色の階調が異なる場合には各々の点灯パターンが適用される。また、各々の光通過期間の間には、図示されていないが、実際にはアドレス期間が設けられる。
【００１９】
サブフレーム期間は、第１のグループに属するサブフレーム期間３−１〜３−７と、第２のグループに属するサブフレーム期間０〜２と、に分類される。第１のグループに属するサブフレーム期間３−１〜３−７では、光通過期間の長さが同一である。光通過期間の長さは、本例では３ｂｉｔである。３−１〜３−７の前側の「３」の字は、３ｂｉｔの長さであることを表しており、後側の「１〜７」の字は、階調が高まるに従って光通過期間が出現する順序を表している。第１のグループでは、光通過期間が出現するサブフレーム期間の数が、階調が８の倍数に到達する毎に増加していく。第２のグループに属するサブフレーム期間０〜２では、光通過期間の長さが第１のグループの光通過期間よりも短く、且つ互いに異なるように重み付けされている。光通過期間の長さは、本例では０〜２ｂｉｔである。「０〜２」の字は、０〜２ｂｉｔの長さであることを表している。第２のグループに属するサブフレーム期間０〜２では、階調が８に到達するまでの間、各階調に対応する長さの光通過期間の組み合わせのパターンが出現し、このパターンが、階調が８の倍数に到達する毎に繰り返される。第１のグループに属するサブフレーム期間３−１〜３−７は、点灯制御部とも呼ばれ、第２のグループに属するサブフレーム期間０〜２は、ｂｉｔ制御部とも呼ばれる。
【００２０】
第１のグループに属するサブフレーム期間３−１〜３−７のうち、光通過期間が出現するサブフレーム期間は、階調が高まるに従って、１フレーム期間の中途から始点及び終点に向かって増加し、全体として概略山形状を為すように配置される。このとき、光通過期間が出現するサブフレーム期間は、始点側及び終点側に交互に増加していく。例えば、最も低階調において光通過期間が出現するサブフレーム期間３−１は、１フレーム期間の中央部に設けられる。２番目の低階調において光通過期間が出現するサブフレーム期間３−２は、サブフレーム期間３−１に対して１フレーム期間の始点側または終点側に設けられる。本例において、図４Ａに示される画素Ａでは、サブフレーム期間３−２は、サブフレーム期間３−１に対して１フレーム期間の終点側に設けられ、図４Ｂに示される画素Ｂでは、サブフレーム期間３−２は、サブフレーム期間３−１に対して１フレーム期間の始点側に設けられる。３番目の低階調において光通過期間が出現するサブフレーム期間３−３は、サブフレーム期間３−１に対してサブフレーム３−２とは逆側に設けられる。４番目の低階調において光通過期間が出現するサブフレーム期間３−４は、サブフレーム期間３−１に対してサブフレーム３−２と同じ側で、サブフレーム期間３−１からサブフレーム３−２より離れて設けられる。以降のサブフレーム期間３−５〜３−７も、こうした規則に従って設けられる。階調数が６ｂｉｔより多い場合も同様である。
【００２１】
第２のグループに属するサブフレーム期間０〜２のそれぞれは、第１のグループに属するサブフレーム期間３−１〜３−７同士の間に設けられる。すなわち、第１のグループに属するサブフレーム期間３−１〜３−７と、第２のグループに属するサブフレーム期間０〜２と、は交互に設けられる。本例では、第２のグループに属するサブフレーム期間０〜２は、１フレーム期間の中央寄りに設けられており、このうち２つのサブフレーム期間が、１フレーム期間の中央部に配置されるサブフレーム期間３−１を挟み込むように前後両側に設けられている。
【００２２】
図４Ａに示される画素Ａと、図４Ｂに示される画素Ｂとでは、サブフレーム期間３−１に対してサブフレーム期間３−２〜３−７が設けられる側が逆になっている。すなわち、図４Ａに示される画素Ａでは、サブフレーム期間３−２，４，６がサブフレーム期間３−１に対して１フレーム期間の終点側に設けられ、サブフレーム期間３−３，５，７がサブフレーム期間３−１に対して１フレーム期間の始点側に設けられているのに対し、図４Ｂに示される画素Ｂでは、サブフレーム期間３−２，４，６がサブフレーム期間３−１に対して１フレーム期間の始点側に設けられ、サブフレーム期間３−３，５，７がサブフレーム期間３−１に対して１フレーム期間の終点側に設けられている。このように、図４Ａに示される画素Ａと、図４Ｂに示される画素Ｂとでは、第１のグループに属するサブフレーム期間３−１〜３−７が、１フレーム期間の経過方向の前後に対称となるように配列している。なお、第２のグループに属するサブフレーム期間０〜２のそれぞれは、図４Ａに示される画素Ａと、図４Ｂに示される画素Ｂとで同じ位置（１フレーム期間内の位置）に設けられ、同じタイミングで出現する。
【００２３】
図５は、画素Ａと画素Ｂの配列を示す図である。同図では、上記図４Ａの駆動シーケンスで動作する画素Ａに「Ａ」の文字を付し、記図４Ｂの駆動シーケンスで動作する画素Ｂに「Ｂ」の文字を付している。画素Ａと画素Ｂは、互い違いとなるように２次元的に交互に配列している。具体的には、画素Ａと画素Ｂとは、市松模様状（チェック状）に配列している。すなわち、画素Ａと画素Ｂのそれぞれは千鳥状に配列し、一方の画素の四方が他方の画素で囲まれるように、互いの隙間に入り込んでいる。特に２００ｐｐｉ以上では千鳥状パタンが視認されないので、この方法が有効である。
【００２４】
また、画素Ａと画素Ｂとは、１フレーム期間ごとに入れ替わるように制御されてもよい。すなわち、ある１フレーム期間において、上記図４Ａの駆動シーケンスで動作する画素Ａであった画素は、その次の１フレーム期間において、図４Ｂの駆動シーケンスで動作する画素Ｂとなり、その次の１フレーム期間において、図４Ａの駆動シーケンスで動作する画素Ａとなる。
【００２５】
図６Ａは、第１のグループの発光重心の計算方法を説明する図であり、図６Ｂは、第２のグループの発光重心の計算方法を説明する図である。図６Ａは、第１のグループのサブフレーム期間３−１〜３−７に含まれるＧの光通過期間の発光波形を示し、図６Ｂは、第２のグループのサブフレーム期間０〜２に含まれるＧの光通過期間の発光波形である。これらの図では、最大階調のときの発光波形が示されている。それぞれの発光輝度は一定値であり、発光時間の長さで１フレーム期間の輝度が決まる。
【００２６】
図６Ａでは、１フレーム期間の中でｎ回の発光があり、それぞれの発光中心を始点側から順にＴ１、Ｔ２、・・・、Ｔｎとする。それぞれの発光時間はどれも同じであり、発光輝度をＬとする。１フレーム期間の始点から第１のグループに属するサブフレーム期間全体の発光重心までの時間をＴｃｇとすると、Ｔｃｇは下記数式１で求まる。
【００２７】
［数１］
Ｌ×（Ｔ１−Ｔｃｇ）＋Ｌ×（Ｔ２−Ｔｃｇ）＋Ｌ×（Ｔ３−Ｔｃｇ）＋・・・＋Ｌ×（Ｔｎ−Ｔｃｇ）＝０
Ｌ×（Ｔ１＋Ｔ２＋Ｔ３＋・・・＋Ｔｎ）−ｎ×Ｌ×Ｔｃｇ＝０
Ｔｃｇ＝（Ｔ１＋Ｔ２＋Ｔ３＋・・・＋Ｔｎ）／ｎ
【００２８】
同様に、図６Ｂでは、１フレーム期間の中でｍ回の発光があり、それぞれの発光中心を始点側から順にｔ０、ｔ１、・・・、ｔｍとし、発光輝度をＬ０、Ｌ１、・・・、Ｌｍとする。１フレーム期間の始点から第２のグループに属するサブフレーム期間全体の発光重心までの時間をｔｃｇとすると、ｔｃｇは下記数式２で求まる。
【００２９】
［数２］
Ｌ０×（ｔ０−ｔｃｇ）＋Ｌ１×（ｔ１−ｔｃｇ）＋Ｌ２×（ｔ２−ｔｃｇ）＋・・・＋Ｌｍ×（ｔｍ−ｔｃｇ）＝０
Ｌ０×ｔ０＋Ｌ１×ｔ１＋Ｌ２×ｔ２＋・・・＋Ｌｍ×ｔｍ−（Ｌ０＋Ｌ１＋Ｌ２＋・・・＋Ｌｍ）×ｔｃｇ＝０
ｔｃｇ＝（Ｌ０×ｔ０＋Ｌ１×ｔ１＋Ｌ２×ｔ２＋・・・＋Ｌｍ×ｔｍ）／（Ｌ０＋Ｌ１＋Ｌ２＋・・・＋Ｌｍ）
【００３０】
例えば、本発明者らが計算したモデルでは、１フレーム期間を１６．６７ｍｓとしたとき、Ｔｃｇは８．８７ｍｓ、ｔｃｇは８．１０ｍｓ、Ｔｃｇ−ｔｃｇは０．７７ｍｓである。ちなみに、Ｔ１−Ｔ２は１．７０ｍｓである。
【００３１】
擬似輪郭および色分解の問題は、発光重心を近づけるほど抑制されるため、第１のグループに属するサブフレーム期間３−１〜３−７の発光重心と、第２のグループに属するサブフレーム期間０〜２の発光重心とは、できる限り近い方が好ましい。例えば、発光重心の差分Ｔｃｇ−ｔｃｇは、第１のグループに属する各々のサブフレーム期間３−１〜３−７の長さより短いことが好ましい。本発明者らによる実験では、概ね１フレーム期間の１割以下とすることで好ましい抑制効果が得られることが分かった。
【００３２】
図７Ａ〜図７Ｃは、擬似輪郭のシミュレーション結果を示す図である。図７Ａは、上記図４Ａの階調３２から図４Ｂの階調３１へ遷移する画素に対する視線が右から左へ移動した場合の擬似輪郭シミュレーションの結果を示した図である。横軸は網膜における視野内位置であり、縦軸は階調３２の輝度に対する輝度比である。階調３２の輝度から階調３１の輝度へ変わる際に、その間の輝度で変化する場合には問題が生じないが、それよりも明るかったり暗かったりする場合には擬似輪郭が視認される。また、明暗のパルスの幅が細ければ細いほど、網膜内で解像できなくなるので、擬似輪郭が目立たなくなる。図７Ａでは、ピーク輝度比で０．８を下回り、視野内位置の幅で０．４ほどの僅かに暗い擬似輪郭がＲＧＢそれぞれで発生し、ＲＧＢがほぼ重なっている。
【００３３】
図７Ｂは、上記図４Ｂの階調３２から図４Ａの階調３１へ遷移する画素に対する視線が右から左へ移動した場合の擬似輪郭シミュレーションの結果を示した図である。図７Ａの場合とは逆に、階調３２よりも僅かに明るい擬似輪郭が発生している。
【００３４】
図７Ｃは、図７Ａと図７Ｂの平均をとったものである。上記図５に示したように画素Ａと画素Ｂは市松模様状に配列しているので、隣接する２つの画素で図７Ａの擬似輪郭と図７Ｂの擬似輪郭とが発生し、隣接する画素間で平均的な値が視認される。また、画素Ａと画素Ｂが１フレーム期間ごとに入れ替わると、図７Ａの擬似輪郭と図７Ｂの擬似輪郭とが１フレーム期間ごとに交互に発生する。このことから、観察者には、図７Ａの擬似輪郭と図７Ｂの擬似輪郭との平均である図７Ｃの擬似輪郭が視認されると推定される。従って、擬似輪郭は効果的に改善される。
【００３５】
なお、図７Ａの擬似輪郭と図７Ｂの擬似輪郭とで明るさが反転しているのは、第１のグループに属するサブフレーム期間３−１〜３−７の配列を、２つの駆動シーケンスで反転させていることに起因する。
【００３６】
図８は、色分解の評価パターンを示す図である。背景をＲＧＢそれぞれ０階調とし、帯部をＲ３２階調、Ｇ３１階調、Ｂ３１階調として、帯部を画面右から左へスクロールさせる。
【００３７】
図９Ａ及び図９Ｂは、評価パターンの帯の発光波形を示す図である。これらの図は、上記図４Ａ及び図４Ｂの駆動シーケンスの場合の帯部の発光波形を示した図である。図中左側が１フレーム期間の始点側に対応し、図中右側が１フレーム期間の終点側に対応している。これらの図では、見易くするためにＲＧＢで高さを変えている。また、図中の数字は発光時間をｂｉｔ表記したものである。第１のグループに属するサブフレーム期間３−１〜３−７は、すべて同じ発光時間を有しており、ｂｉｔ表記は３である。人の目は帯部の点滅に関係なく連続して動いていき、帯部は１フレーム期間が変わるまでその場に止まって点滅するため、帯部の点滅が視野内でずれて視認される。このため、点灯順序に合わせて帯に色がついて見えることになる。
【００３８】
図９Ａでは、第１のグループに属するサブフレーム期間の中央３つはＲＧＢともに点灯しており、第２のグループに属するサブフレーム期間で色がずれるとともに、第１のグループに属するサブフレーム期間の終点側の１つでＲで意図した色となる。すなわち、図９Ａでは、スクロール前方にＣｙ（シアン：Ｇ＋Ｂ）の色分解が、スクロール後方にＲの色分解が発生する。図９Ｂでは、第１のグループのサブフレーム期間の点灯増加順序が反対であるので、第１のグループに属するサブフレーム期間の始点側の１つのＲで色がずれ、第２のグループに属するサブフレーム期間で徐々に意図した色となる。すなわち、図９Ｂでは、スクロール前方にＲの色分解が、スクロール後方にＣｙの色分解が発生する。上記図５に示したように画素Ａと画素Ｂとは市松模様状に配列しているので、これらの色分解は平均化されて、色分解が効果的に抑制される。本例では、各々のサブフレーム期間がＲＧＢの光通過期間を含むことで色分解の発生を抑制しているが、画素Ａと画素Ｂが市松模様状に配列することで、さらに色分解の発生を抑制している。
【００３９】
図１０Ａ〜図１０Ｆは、色分解のシミュレーション結果を示す図である。これらの図では、画素Ａ、画素Ｂ及びこれらの平均のそれぞれのスクロール前方及びスクロール後方の輝度が示されている。上述したように、画素Ａと画素Ｂが市松模様状に配列し、さらに画素Ａと画素Ｂが１フレーム期間ごとに入れ替わるので、隣接画素間で平均的に視認されると共に、隣接フレーム間で平均的に視認される。このため、人の目には図１０Ｃと図１０Ｆが視認されると推定される。
【００４０】
画素Ｂでは、図１０Ｂに示されるようにスクロール前方で一様にＲがＧＢの輝度を上回っているのでＲに偏っており、図１０Ｅに示されるようにスクロール後方で一様にＲがＧＢの輝度を下回っているのでＣｙに偏っているのが分かる。画素Ａでは、図１０Ａに示されるようにスクロール前方でわずかにＣｙに偏り、図１０Ｄに示されるようにスクロール後方でわずかにＲに偏っている。平均では、図１０Ｃ及び図１０Ｆに示されるように、色の偏りが改善されているように見えるが、画素Ａとの差が少ないように見える。
【００４１】
図１０Ａ〜図１０Ｆのグラフについて、ＲとＧのプロットで囲まれる面積を求めた結果は、次の通りである。図１０Ａでは−０．０２９、図１０Ｂでは＋０．１１３、図１０Ｃでは＋０．０４２、図１０Ｄでは＋０．０６０、図１０Ｅでは−０．０８２、図１０Ｆでは−０．０１１である。各々の値は、＋の場合にＧよりもＲに偏っていることを示しており、＋０．０３１２５（＝１/３２）の場合に、視野全体で１階調分だけＲに偏っていることになる。帯部の色はＲに１階調分偏っており、視野内の途中で背景から帯に変化することから、０〜＋０．０３１２５であればよい。各々の値を比べると確かに平均が最もよいことが分かる。０〜＋０．０３１２５までの距離は次の通りである。図１０Ａでは−０．０２９、図１０Ｂでは＋０．０８２、図１０Ｃでは＋０．０１１、図１０Ｄでは＋０．０２９、図１０Ｅでは−０．０８２、図１０Ｆでは−０．０１１である。
【００４２】
以上に説明したように、本例を適用することにより、擬似輪郭及び色分解の両方を効果的に改善することが可能である。
【００４３】
なお、本例では１フレーム期間ごとに駆動シーケンスを入れ替えたが、１フレーム期間ごとに駆動シーケンスを入れ替えなくても、画素Ａと画素Ｂとで打ち消しあうように擬似輪郭の発生を抑えることができる。また、階調数は６ｂｉｔに限らず、５ｂｉｔ以下でも７ｂｉｔ以上であってもよい。また、ＲＧＢの３色に限らずＲＧＢＷやＲＧＢＹ（Ｙ：イエロー）であってもよい。また、ＭＥＭＳに限らず、ＬＣＤ等でもよい。これらは、以下に説明する他の例でも同様である。
【００４４】
［第２の実施形態］
図１１は、第２実施形態における駆動シーケンスを示す図である。表示装置の基本的な構成及び動作は上記実施形態とほぼ同じであるため、以下では、主に上記実施形態との相違点について説明する。
【００４５】
本例では、第１のグループに属するサブフレーム期間３−１〜３−７のうち、１フレーム期間の中央に配置される、最も低階調において光通過期間が出現するサブフレーム期間３−１の前後に、第２のグループに属するサブフレーム期間０〜２が設けられる。残りのサブフレーム期間３−２〜３−７は、第２のグループに属するサブフレーム期間０〜２よりもサブフレーム期間３−１から離れている。すなわち、第２のグループに属するサブフレーム期間０〜２は、１フレーム期間の中央に集合しており、サブフレーム期間０〜２のうち、隣接する何れか２つの間にサブフレーム期間３−１が設けられ、それ以外の間には、第１のグループに属する他のサブフレーム期間３−２〜３−７は設けられない。
【００４６】
本例では、第２のグループに属するサブフレーム期間０〜２の間隔が第１の実施形態よりも詰まっているので、第２のグループに属するサブフレーム期間０〜２に起因する擬似輪郭及び色分解が第１の実施形態よりも改善する。
【００４７】
なお、図示しないが、上記図４Ａ及び図４Ｂと同様に、図１１に示される駆動シーケンスの画素Ａと、第１のグループに属するサブフレーム期間３−１〜３−７の配列が画素Ａとは逆の画素Ｂとを設けて、上記図５に示されるように、これらを市松模様状に配列してもよい。また、画素Ａと画素Ｂとが、１フレーム期間ごとに入れ替わってもよい。なお、第２のグループに属するサブフレーム期間０〜２のそれぞれは、互いに同じ位置に設けられる。
【００４８】
［第３の実施形態］
図１２は、第３実施形態における駆動シーケンスを示す図である。表示装置の基本的な構成及び動作は上記実施形態とほぼ同じであるため、以下では、主に上記実施形態との相違点について説明する。
【００４９】
本例において、１フレーム期間の始点側に設けられるサブフレーム期間０，２，３−３，３−５，３−７では、Ｂ色の光通過期間が始点側に設けられるように、光通過期間がＢ→Ｇ→Ｒの順で配列している。これに対し、１フレーム期間の終点側に設けられるサブフレーム期間１，３−１，３−２，３−４，３−６では、Ｂ色の光通過期間が終点側に設けられるように、光通過期間がＲ→Ｇ→Ｂの順で配列している。このように、１フレーム期間の始点側に設けられるサブフレーム期間０，２，３−３，３−５，３−７と、終点側に設けられるサブフレーム期間１，３−１，３−２，３−４，３−６と、で光通過期間の色の配列が対称になっている。１フレーム期間の始点側とは、例えば発光重心よりも始点側を指し、１フレーム期間の終点側とは、例えば発光重心よりも終点側を指す。
【００５０】
第２のグループに属するサブフレーム期間０〜２の発光重心は、サブフレーム期間２と１の間にある。第１のグループに属するサブフレーム期間３−１〜３−７の発光重心は、サブフレーム期間３−１と３−３の間にある。正確にはサブフレーム期間３−１の途中であるが、第２のグループのサブフレーム期間０によりサブフレーム期間３−７，３−５が始点側にシフトしているため、始点側に若干偏ったところに発光重心が存在する。この場合、発光重心に近い側からＲＧＢの順で点灯するように、発光重心より始点側のサブフレーム期間０，２，３−３，３−５，３−７では光通過期間がＢ→Ｇ→Ｒの順で配列し、発光重心より終点側のサブフレーム期間１，３−１，３−２，３−４，３−６では光通過期間がＲ→Ｇ→Ｂの順で配列する。
【００５１】
本発明者らの実験において、色分解はＲ及びＧよりもＢに対する感度が低いことが分かった。そこで、Ｂを発光重心から離し、Ｒを発光重心に近づけることで、Ｒの色分解を選択的に改善することができ、結果として、全体の色分解を改善することができる。また、Ｂが発光重心から離れるのでＢの擬似輪郭は悪化するが、Ｒが発光重心に近づくのでＲの擬似輪郭は改善する。擬似輪郭で最も目に付くのは人の顔で発生する擬似輪郭であり、人の肌は主にＲとＧとで構成されている。このため、本例によれば、最も目に付く人の顔で発生する擬似輪郭を集中的に改善することができる。
【００５２】
なお、図示しないが、上記図４Ａ及び図４Ｂと同様に、図１２に示される駆動シーケンスの画素Ａと、第１のグループに属するサブフレーム期間３−１〜３−７の配列が画素Ａとは逆の画素Ｂとを設けて、上記図５に示されるように、これらを市松模様状に配列してもよい。また、画素Ａと画素Ｂとが、１フレーム期間ごとに入れ替わってもよい。なお、第２のグループに属するサブフレーム期間０〜２のそれぞれは、互いに同じ位置に設けられる。
【００５３】
［第４の実施形態］
図１３は、第４実施形態における駆動シーケンスを示す図である。表示装置の基本的な構成及び動作は上記実施形態とほぼ同じであるため、以下では、主に上記実施形態との相違点について説明する。
【００５４】
本例において、１フレーム期間の始点側に設けられるサブフレーム期間０，２，３−３，３−５，３−７では、Ｂ色の光通過期間が始点側に設けられるように、光通過期間がＢ→Ｒ→Ｇの順で配列している。これに対し、１フレーム期間の終点側に設けられるサブフレーム期間１，３−１，３−２，３−４，３−６では、Ｂ色の光通過期間が終点側に設けられるように、光通過期間がＲ→Ｇ→Ｂの順で配列している。すなわち、１フレーム期間の始点側に設けられるサブフレーム期間０，２，３−３，３−５，３−７と、終点側に設けられるサブフレーム期間１，３−１，３−２，３−４，３−６とでは、ＲとＧの順序が共通であり、Ｂのみが発光重心から離れるように配列している。
【００５５】
第２のグループに属するサブフレーム期間０〜２の発光重心は、サブフレーム期間２と１の間にある。第１のグループに属するサブフレーム期間３−１〜３−７の発光重心は、サブフレーム期間３−１と３−３の間にある。正確にはサブフレーム期間３−１の途中であるが、第２のグループのサブフレーム期間０によりサブフレーム期間３−７，３−５が始点側にシフトしているため、始点側に若干偏ったところに発光重心が存在する。この場合、発光重心から離れた側でＢが点灯するように、発光重心より始点側のサブフレーム期間０，２，３−３，３−５，３−７では光通過期間がＢ→Ｒ→Ｇの順で配列し、発光重心より終点側のサブフレーム期間１，３−１，３−２，３−４，３−６では光通過期間がＲ→Ｇ→Ｂの順で配列する。
【００５６】
本発明者らの実験において、色分解はＲ及びＧよりもＢに対する感度が低いことが分かった。そこで、Ｂを発光重心から離し、Ｒを発光重心に近づけることで、ＲとＧの色分解を選択的に改善することができ、結果として、全体の色分解を改善することができる。また、Ｂが発光重心から離れるのでＢの擬似輪郭は悪化するが、ＲとＧが発光重心に近づくのでＲとＧの擬似輪郭は改善する。擬似輪郭で最も目に付くのは人の顔で発生する擬似輪郭であり、人の肌は主にＲとＧとで構成されている。このため、本例によれば、最も目に付く人の顔で発生する擬似輪郭を集中的に改善することができる。なお、明るさに関してはＧが支配的であるので、発光重心に対して１フレーム期間の始点側をＢＲＧ、終点側をＧＲＢの順序で点灯させてもよい。
【００５７】
なお、図示しないが、上記図４Ａ及び図４Ｂと同様に、図１２に示される駆動シーケンスの画素Ａと、第１のグループに属するサブフレーム期間３−１〜３−７の配列が画素Ａとは逆の画素Ｂとを設けて、上記図５に示されるように、これらを市松模様状に配列してもよい。また、画素Ａと画素Ｂとが、１フレーム期間ごとに入れ替わってもよい。なお、第２のグループに属するサブフレーム期間０〜２のそれぞれは、互いに同じ位置に設けられる。
【００５８】
［第５の実施形態］
図１４Ａ及び図１４Ｂは、第５実施形態における一方のフレームでの駆動シーケンスを示す図である。表示装置の基本的な構成及び動作は上記実施形態とほぼ同じであるため、以下では、主に上記実施形態との相違点について説明する。
【００５９】
本例では、画素Ａ及び画素Ｂの駆動シーケンスが、上記図４Ａ及び図４Ｂに示される画素Ａ及び画素Ｂの駆動シーケンスに対して、１フレーム期間の経過方向の前後に対称となっている。すなわち、図１４Ａに示される画素Ａでは、第１のグループに属するサブフレーム期間３−１〜３−７と第２のグループに属するサブフレーム期間０〜２との全てが、上記図４Ａに示される画素Ａに対して対称となるように配列している。また、図１４Ｂに示される画素Ｂでも、第１のグループに属するサブフレーム期間３−１〜３−７と第２のグループに属するサブフレーム期間０〜２との全てが、上記図４Ｂに示される画素Ｂに対して対称となるように配列している。また、画素Ａと画素Ｂとでは、上記図４Ａ及び図４Ｂの関係と同様に、第１のグループに属するサブフレーム期間３−１〜３−７のみが、１フレーム期間の経過方向の前後に対称となるように配列している。
【００６０】
また、画素Ａ及び画素Ｂの第２のグループに属するサブフレーム期間０〜２の点灯順序は、上記図４Ａ及び図４Ｂとは異なり、サブフレーム期間１，２，０の順とされている。また、画素Ａ及び画素Ｂの第２のグループに属するサブフレーム期間０〜２の点灯位置は、上記図４Ａ及び図４Ｂに対して、第１のグループに属するサブフレーム期間３−１〜３−７の１つ分だけずれている。単純にサブフレーム期間０と１を入れ替えた場合、第１のグループの発光重心と第２のグループの発光重心との時間間隔が広がってしまう。そこで、第２のグループに属するサブフレーム期間０〜２の点灯位置を、第１のグループに属するサブフレーム期間３−１〜３−７の１つ分だけずらすことで、第２のグループのサブフレーム期間から第１のグループのサブフレーム期間に桁上がりする最も低い階調（階調７から階調８）で生じる擬似輪郭を悪化させずに済む。
【００６１】
本例では、このように構成される画素Ａ及び画素Ｂの一方のフレームでの駆動シーケンスと、上記図４Ａ及び図４Ｂに示される画素Ａ及び画素Ｂのもう一方のフレームでの駆動シーケンスとを、交互に実行される。
【００６２】
図１５Ａ〜図１５Ｃは、擬似輪郭のシミュレーション結果を示す図である。図１５Ａは、図４Ａの階調４から図４Ｂの階調２へ変化した際の擬似輪郭シミュレーション結果を示す図である。図１５Ｂは、図１４Ａの階調４から図１４Ｂの階調２へ変化した際の擬似輪郭シミュレーション結果を示す図である。図１５Ａでは階調４よりも明るい擬似輪郭が発生しており、図１５Ｂでは暗い擬似輪郭が発生している。図１５Ａと図１５Ｂは１フレーム期間ごとに入れ替わるので、見た目には図１５Ｃに示される平均となる。
【００６３】
このように、１フレーム期間ごとに第２のグループに属するサブフレーム機関０〜２の点灯順序を入れ替える方法を組み合わせることで、第１のグループに属するサブフレーム期間３−１〜３−７での擬似輪郭・色分解をそのままに、第２のグループに属するサブフレーム機関０〜２での擬似輪郭・色分解を改善することができる。
【００６４】
しかしながら、この駆動シーケンスでは、サブフレーム期間０と１の位置が１フレーム期間ごとに入れ替わるので、２つのフレーム期間でサブフレーム期間０（または１）が時間的に近い場合と遠い場合とが発生し、フリッカになることが予想される。本発明者らの実験によると、フリッカは低輝度において視認されにくいため、低ｂｉｔ表示（この場合、サブフレーム期間０と１）の際にはフリッカが視認されにくい。第１のグループに属するサブフレーム期間３−１〜３−７と同時に第２のグループに属するサブフレーム機関０〜２が発光している際には、輝度が高い第１のグループに属するサブフレーム期間３−１〜３−７の方が支配的になるので、フリッカが視認されにくい。
【００６５】
このように、１フレーム期間ごとに第２のグループに属するサブフレーム機関０〜２の点灯順序を入れ替えることで、低輝度のフリッカが視認されにくいことを積極的に利用でき、第２のグループに属するサブフレーム機関０〜２で生じる擬似輪郭・色分解を改善することができる。
【００６６】
［第６の実施形態］
図１６は、第６実施形態における駆動シーケンスを示す図である。表示装置の基本的な構成及び動作は上記実施形態とほぼ同じであるため、以下では、主に上記実施形態との相違点について説明する。
【００６７】
本例において、１フレーム期間の始点側に設けられる第２グループのサブフレーム期間０では、Ｂの光通過期間がＲ及びＧの光通過期間に対して始点側に離れて設けられており、Ｂの光通過期間とＲ及びＧの光通過期間との間には、第１のグループに属するサブフレーム期間３−５が設けられている。これに対し、１フレーム期間の終点側に設けられる第２のグループに属するサブフレーム期間１では、Ｂ色の光通過期間がＲ及びＧの光通過期間に対して終点側に離れて設けられており、Ｂの光通過期間とＲ及びＧの光通過期間との間には、第１のグループに属するサブフレーム期間３−２が設けられている。Ｂの光通過期間とＲ及びＧの光通過期間との間に設けられる第１のグループに属するサブフレーム期間の数は２以上であってもよい。
【００６８】
換言すると、第２のグループに属するサブフレーム期間０のＲ及びＧの光通過期間は、第１のグループに属するサブフレーム期間３−５と３−３の間に設けられ、Ｂの光通過期間は、第１のグループに属するサブフレーム期間３−７と３−５の間に設けられる。また、第２のグループに属するサブフレーム期間１のＲ及びＧの光通過期間は、第１のグループに属するサブフレーム期間３−１と３−２の間に設けられ、Ｂの光通過期間は、第１のグループに属するサブフレーム期間３−２と３−４の間に設けられる。
【００６９】
第１のグループに属するサブフレーム期間３−１〜３−７の発光ピッチが異なると、動画を表示した際に２重映りに似た不具合（映像われ）が発生する。ＢはＲとＧと比較して擬似輪郭や色分解に対して感度が低いため、本例のように、第２のグループに属するサブフレーム期間０と１のＢのみを１フレーム期間の中央から離れる方向にシフトさせ、第１のグループに属するサブフレーム期間３−１〜３−７の発光ピッチを段階的にずらすことで、映像われの発生を抑えることができる。
【００７０】
本例では、第２のグループに属するサブフレーム期間０のＢの光通過期間が１フレーム期間の始点側にシフトした分、第１のグループに属するサブフレーム期間３−５が発光重心に近づき、第２のグループに属するサブフレーム期間１のＢの光通過期間が１フレーム期間の終点側にシフトした分、第１のグループに属するサブフレーム期間３−２が発光重心に近づいている。このため、第１のグループに属するサブフレーム期間３−５と３−２に関する擬似輪郭及び色分解が改善される。逆に、第２のグループに関しては、サブフレーム期間０及び１のＢの光通過期間が、Ｒ及びＧの光通過期間から発光重心から遠ざかる方向に離れるため、擬似輪郭及び色分解が悪化するが、低ｂｉｔであり、かつ、色分解感度の低い色に限定しているので、擬似輪郭及び色分解の悪化程度は少なく抑えられる。
【００７１】
なお、図示しないが、上記図４Ａ及び図４Ｂと同様に、図１６に示される駆動シーケンスの画素Ａと、第１のグループに属するサブフレーム期間３−１〜３−７の配列が画素Ａとは逆の画素Ｂとを設けて、上記図５に示されるように、これらを市松模様状に配列してもよい。また、画素Ａと画素Ｂとが、１フレーム期間ごとに入れ替わってもよい。なお、第２のグループに属するサブフレーム期間０〜２のそれぞれは、互いに同じ位置に設けられる。
【００７２】
［第７の実施形態］
図１７は、第７実施形態における駆動シーケンスを示す図である。表示装置の基本的な構成及び動作は上記実施形態とほぼ同じであるため、以下では、主に上記実施形態との相違点について説明する。
【００７３】
本例では、第１のグループに属するサブフレーム期間３−１〜３−７同士の間に、第２のグループに属するサブフレーム期間０〜２または空白期間が設けられる。すなわち、第１のグループに属するサブフレーム期間３−１〜３−７同士の間のうち、第２のグループに属するサブフレーム期間０〜２が設けられていない箇所には、発光に寄与しないダミーのサブフレーム期間が設けられている。ダミーのサブフレーム期間の長さは、例えば、第１のグループに属するサブフレーム期間３−１〜３−７同士のピッチの平均に対して５割以下とされる。これにより、映像われを改善することができる。
【００７４】
［第８の実施形態］
第８の実施形態を説明する前に、図１８に示される擬似輪郭のシミュレーション結果について説明する。同図は、上記図４Ｂの階調４８から図４Ａの階調４７に変化する際の擬似輪郭シミュレーション結果を示している。これによると、輝度比の変化は僅かであるものの、視野内位置の約０．３１から約０．８７に渡る幅広い範囲に擬似輪郭が発生している。実際に目視により評価したところ、この擬似輪郭は視認されることがわかった。擬似輪郭が幅広くなった原因は、階調が８の倍数に達し、第２のグループに属するサブフレーム期間から第１のグループに属するサブフレーム期間に桁上がりする際に、光通過期間が新たに現れるサブフレーム期間が、光通過期間を有するサブフレーム期間の集合の１フレーム期間の始点側または終点側の端に現れるためである。そこで、以下に説明する第８の実施形態のように、桁上がりする階調とは異なる階調において、第１のグループにおいて光通過期間を有するサブフレーム期間の位置をずらすこととした（以下、セル送りと呼ぶ）。
【００７５】
図１９は、第８実施形態における駆動シーケンスを示す図である。表示装置の基本的な構成及び動作は上記実施形態とほぼ同じであるため、以下では、主に上記実施形態との相違点について説明する。
【００７６】
本例は、上記図４Ａ及び図４Ｂに示される第１実施形態に対してセル送りを加えた例である。すなわち、第１のグループの光通過期間を有するサブフレーム期間の数が増加する前の階調において、光通過期間を有する第１のグループに属するサブフレーム期間を隣の第１のグループに属するサブフレーム期間へ移動させる。具体的には、第２のグループから第１のグループへの桁上がりが生じる階調１５から階調１６に増加する手前の階調（階調１１から階調１２）で、第１のグループのサブフレーム期間３−１からサブフレーム期間３−２へ光通過期間をずらす。これによると、次の桁上がりの際に光通過期間の有無が変化するサブフレーム期間が、中央に位置するサブフレーム期間３−１となる。セル送りは、さらに大きな階調でも同様に行われる。なお、桁上がりの際の光通過期間の位置変化は、サブフレーム期間の２つ分以上離れるような場合には、セル送りを複数に分けて行うとよい。このようにすることで、擬似輪郭の視野内幅を絶えず一定に近づけ、幅広い擬似輪郭を複数の階調で分割して擬似輪郭を目立たなくすることができる。また、セル送りを行うタイミングは第２のグループの桁上がりに合わせると良く、さらに、できるだけｂｉｔ長の長い桁上がりに合わせると良い。例えば、階調８から階調２４まででは、サブフレーム期間３−２へ、または、サブフレーム期間３−３へ１回のセル送りが必要で、この場合、サブフレーム期間２への桁上がりのタイミングに合わせてセル送りを行う。階調２４以降では、２〜３回のセル送りが必要で、この場合、サブフレーム期間１への桁上がりのタイミングに合わせてセル送りを行う。このようにすることで、セル送りによって生じる擬似輪郭と、第２のグループの桁上がりによって生じる擬似輪郭と、がお互いに打ち消しあう（擬似輪郭の輝度変化が小さくなる）効果が得られる。
【００７７】
本例では、第２のグループから第１のグループへの桁上がりを行うサブフレーム期間を中央に位置するサブフレーム期間３−１のみとしたが、サブフレーム期間３−２や３−３へ桁上がりが行われてもよい。セル送りによっても擬似輪郭が生じるため、セル送りの回数が多いとそれだけ擬似輪郭の発生する階調が増えてしまう。本例のようにサブフレーム期間３−１だけで第２のグループからの桁上がりを行うと、セル送りの回数は１２回であるが、サブフレーム期間３−２や３−３で第２のグループからの桁上がりを行うようにすると、セル送りの回数は６回で済む。表示パネルの解像度によって使い分けるとよい。
【００７８】
［第９の実施形態］
図２０Ａ及び図２０Ｂは、第９実施形態における駆動シーケンスを示す図である。表示装置の基本的な構成及び動作は上記実施形態とほぼ同じであるため、以下では、主に上記実施形態との相違点について説明する。
【００７９】
本例では、第２のグループに属するサブフレーム期間０〜２のうち、最もｂｉｔ長の長いサブフレーム期間２の前後に設けられた第１のグループに属するサブフレーム期間３−１と３−２において第２のグループからの桁上がりが行われる。図２０Ａに示される画素Ａでは、第１のグループに属するサブフレーム期間３−１〜３−７のうち、１フレーム期間の終点側に設けられた奇数番のサブフレーム期間３−３，５，７に光通過期間が出現するときに、これらに近いサブフレーム期間３−１で第２のグループからの桁上がりが行われる。１フレーム期間の始点側に設けられた偶数番のサブフレーム期間３−２，４，６に光通過期間が出現するときに、これらに近いサブフレーム期間３−２で第２のグループからの桁上がりが行われる。
【００８０】
他方、図２０Ｂに示される画素Ｂでは、第１のグループに属するサブフレーム期間３−１〜３−７のうち、１フレーム期間の始点側に設けられた奇数番のサブフレーム期間３−３，５，７に光通過期間が出現するときに、これらに近いサブフレーム期間３−１で第２のグループからの桁上がりが行われる。１フレーム期間の終点側に設けられた偶数番のサブフレーム期間３−２，４，６に光通過期間が出現するときに、これらに近いサブフレーム期間３−２で第２のグループからの桁上がりが行われる。図２０Ｂに示される画素Ｂでは、第１のグループの発光重心と第２のグループの発光重心との距離が、図２０Ａに示される画素Ａよりも離れている。
【００８１】
これらの図に示される画素Ａ及び画素Ｂでは、第１のグループに属するサブフレーム期間３−１〜３−７に対する第２のグループに属するサブフレーム０〜２の位置がずれている。すなわち、画素Ａでは、サブフレーム期間０より始点側にサブフレーム期間３−６，３−４の２つが設けられているが、画素Ｂでは、サブフレーム期間０の始点側にサブフレーム期間３−７，３−５，３−３の３つが設けられている。このままでは、共通のタイミングで画素Ａ及び画素Ｂのサブフレーム期間０〜２を点灯させることができない。
【００８２】
そこで、図２１に示されるように、画素Ａにおける第２のグループに属するサブフレーム期間０〜２と、画素Ｂにおける第２のグループに属するサブフレーム期間０〜２とが同時に出現するように、１フレーム期間の開始タイミングが調整されてもよい。本例では、画素Ａにおいて１つ目のサブフレーム期間３−６が現れるとき、画素Ｂでは２つ目のサブフレーム期間３−５が現れるように制御される。このようにすることで、第２のグループに属するサブフレーム期間０〜２を同じタイミングで点灯させることができる。この場合、サブフレーム期間３−７が現れるタイミングで画素Ａと画素Ｂとは異なるフレームを表示することになるが、１フレーム期間の１／１０程度の重なりなので人の目にはほとんど気にならない。また、第１のグループの発光重心については画素Ａと画素Ｂとでずれており、平均化するとサブフレーム期間２の位置になるので、発光重心の点でも１つのサブフレーム期間ずらすことで有利になり、擬似輪郭や色分解の発生を抑えることができる。
【００８３】
このようにすることで、第１のグループに属するサブフレーム期間３−１〜３−７で生じる擬似輪郭が市松模様状に明暗反転して発生するため、見た目には平均の擬似輪郭となるので、擬似輪郭が改善される。また、色分解についても補色の関係の色分解が市松模様状に発生するため、見た目には平均の色分解となるので、色分解が改善される。さらに、第１のグループに属するサブフレーム期間３−１〜３−７でセル送りを行うことで、高階調で生じる擬似輪郭が空間的に幅の狭いものとなるので、擬似輪郭が改善される。
【００８４】
以上、本発明の実施形態について説明したが、本発明は上記実施形態に限定されるものではなく、種々の変形実施が当業者にとって可能であるのはもちろんである。
【符号の説明】
【００８５】
１  ガラス基板、２  バックライト、３  表示制御回路、４  発光制御回路、５  システム制御回路、６  制御線、１１  画素、１２  行選択信号線、１３  データ信号線、１４  集積回路、１５  行選択回路、２１  スイッチ、２２  記憶容量、２３  点灯制御素子、２４  基準電位。
【図１】
0005883575.tif 000002
【図２】
0005883575.tif 000003
【図３】
0005883575.tif 000004
【図４Ａ】
0005883575.tif 000005
【図４Ｂ】
0005883575.tif 000006
【図５】
0005883575.tif 000007
【図６Ａ】
0005883575.tif 000008
【図６Ｂ】
0005883575.tif 000009
【図７Ａ】
0005883575.tif 000010
【図７Ｂ】
0005883575.tif 000011
【図７Ｃ】
0005883575.tif 000012
【図９Ａ】
0005883575.tif 000013
【図９Ｂ】
0005883575.tif 000014
【図１０Ａ】
0005883575.tif 000015
【図１０Ｂ】
0005883575.tif 000016
【図１０Ｃ】
0005883575.tif 000017
【図１０Ｄ】
0005883575.tif 000018
【図１０Ｅ】
0005883575.tif 000019
【図１０Ｆ】
0005883575.tif 000020
【図１１】
0005883575.tif 000021
【図１２】
0005883575.tif 000022
【図１３】
0005883575.tif 000023
【図１４Ａ】
0005883575.tif 000024
【図１４Ｂ】
0005883575.tif 000025
【図１５Ａ】
0005883575.tif 000026
【図１５Ｂ】
0005883575.tif 000027
【図１５Ｃ】
0005883575.tif 000028
【図１６】
0005883575.tif 000029
【図１７】
0005883575.tif 000030
【図１８】
0005883575.tif 000031
【図１９】
0005883575.tif 000032
【図２０Ａ】
0005883575.tif 000033
【図２０Ｂ】
0005883575.tif 000034
【図２１】
0005883575.tif 000035
【図２２】
0005883575.tif 000036
【図２３】
0005883575.tif 000037
【図２４】
0005883575.tif 000038
【図２５Ａ】
0005883575.tif 000039
【図２５Ｂ】
0005883575.tif 000040
【図２６Ａ】
0005883575.tif 000041
【図２６Ｂ】
0005883575.tif 000042
【図２７】
0005883575.tif 000043
【図２８】
0005883575.tif 000044
【図８】
0005883575.tif 000045